(57)【要約】【課題】建設工事の際の仮設資材の解体を、能率的、且つ安全に行えるようにする。【解決手段】長さを切り換え可能な操作杆２先端側に、仮設資材による足場に併設した転落防止用の手摺枠Ｄを結合する連結手段のロック解除をするためのロック解除具３を設ける。前記操作杆２は、第１操作杆２ａと、この第１操作杆２ａに対し、折り畳み、展開可能に連結した第２操作杆２ｂとによって構成する。前記第１操作杆２ａに対し第２操作杆２ｂが折り畳んだ状態にあっては、保持手段４により保持するようにし、展開した状態にあっては、前記保持手段４を第１操作杆２ａにおける第２操作杆２ｂの軸止箇所Ｐ近傍に嵌入した状態で、第１操作杆２ａ外面から内面に向かって押圧ねじ５により、第２操作杆２ｂを押し付けて前記保持手段４を脱落しないようにして保持する構成とする。【選択図】図４
2004346531.tif 000002
【特許請求の範囲】
【請求項１】
操作杆と、この操作杆先端側に傾斜構成したロック解除具とを有し、このロック解除具は足場における仮設資材をロック保持する連結手段に係合可能に構成し、前記操作杆を変位操作することで、前記仮設資材の連結手段のロックを解除して、前記仮設資材を取り外すようにしたことを特徴とする仮設資材用解体治具。
【請求項２】
前記操作杆は、長さ寸法を調節可能に構成したことを特徴とする請求項１記載の仮設資材用解体治具。
【請求項３】
前記操作杆は、第１の操作杆と、この第１操作杆に対し、折り畳み、展開可能に可能に連結した第２の操作杆とによって構成し、この第２操作杆先端側に前記ロック解除具を取り付け、前記第２操作杆を第１操作杆に対し折り畳んだ状態で保持する保持手段と、この保持手段に前記第２操作杆を押し付けることで第２操作杆を第１操作杆に対し展開した状態で固定する押圧手段を備えたことを特徴とする請求項１または２記載の仮設資材用解体治具。
【請求項４】
前記保持手段は、第１操作杆の外形にほぼ近い環状体であり、前記第１操作杆に対し第２操作杆を折り畳んだ状態で保持するべく、前記第１操作杆外周に嵌め入れる一方、前記第１操作杆に対し第２操作杆を展開した状態において、前記保持手段を第１操作杆における第２操作杆の軸止箇所近傍に嵌入して、前記押圧手段により前記保持手段に前記第２操作杆を押し付けることで、第２操作杆を第１操作杆に対し展開した状態で固定する構成としたことを特徴とする請求項３記載の仮設資材用解体治具。
【請求項５】
前記押圧手段は、前記第１操作杆における第２操作杆の軸止箇所近傍において、第１操作杆外面から内面に向かって螺入して、前記第２操作杆を押し付けて前記保持手段を脱落しないように押圧する押圧ねじによって構成したことを特徴とする請求項４記載の仮設資材用解体治具。
【請求項６】
前記ロック解除具は、前記連結手段に嵌入可能な中空パイプ材で構成し、前記操作杆に対して鈍角をなすように操作杆に接続したことを特徴とする請求項１または３記載の仮設資材用解体治具。
【請求項７】
前記ロック解除具の中間に、携帯用フックロッドを突設したことを特徴とする請求項１または３、６記載の仮設資材用解体治具。
【請求項８】
前記操作杆に、落下防止用ロープを連結する連結具を設けたことを特徴とする請求項１ないし５記載のうち、いずれか１記載の仮設資材用解体治具。
【発明の詳細な説明】
【０００１】
【発明の属する技術分野】
本発明は、例えば、建設工事の際の仮設資材の解体を、能率的、且つ安全に行えるようにした、仮設資材用解体治具に関するものである。
【０００２】
【従来の技術】
現在、土木建設工事、修繕工事の際、施工構築物に使用される仮設資材のうち、施工者の足場は、主として所定の規格化されたユニット（建枠、布枠、ブレース等）により、施工構築物周囲に、複数列、複数段に組み上げて構成している。また、このような足場の解体は、上段から下段まで作業者の手によって、一段、一段建枠や布枠を取り外すことで行われていくため、作業者の転落防止のために、手摺枠を配置するようにしている（特開２００３−１２００１８号公報）。
この場合、手摺枠は、建枠に沿わせて設置された、互いに隣接する支柱パイプ間に、支柱パイプ側に設けた連結手段により、前記手摺枠を簡単に嵌め込む一方、脱落しないように結合する構成としている。
【０００３】
【発明が解決しようとする課題】
しかしながら、このような取り付け方で前記手摺枠を取り付けるため、手摺枠の取り付け作業は容易ではあるが、撤去の際は、上記支柱パイプ側に設けた連結手段を、一つ一つ手で解除操作して、手摺枠を取り外さなくてはならない。その際、作業者は、取り外す手摺枠における足場にいて解除操作を行うため、転落のおそれがあった。
そこで、前記取り外す手摺枠より一段下の、転落するおそれのない足場にいて、当該上段の手摺枠の取り外し作業をすれば、安全に作業を遂行できるであろうという観点に至り、そのための道具を案出することとなった。
本発明は、以上のような背景から提案されたものであって、建設工事の際の仮設資材の解体を、能率的、且つ安全に行えるようにした、仮設資材用解体治具を提供することを目的とする。
【０００４】
【課題を解決するための手段】
前記した課題を解決するために、本発明では、請求項１において、操作杆と、この操作杆先端側に傾斜構成したロック解除具とを有し、このロック解除具は足場における仮設資材をロック保持する連結手段に係合可能に構成し、前記操作杆を変位操作することで、前記仮設資材の連結手段のロックを解除して、前記仮設資材を取り外すようにした仮設資材用解体治具を提案する。
また本発明では、請求項２において、前記操作杆は、長さ寸法を調節可能に構成した仮設資材用解体治具を提案する。
また本発明では、請求項３において、前記操作杆は、第１の操作杆と、この第１操作杆に対し、折り畳み、展開可能に可能に連結した第２の操作杆とによって構成し、この第２操作杆先端側に前記ロック解除具を取り付け、前記第２操作杆を第１操作杆に対し折り畳んだ状態で保持する保持手段と、この保持手段に前記第２操作杆を押し付けることで第２操作杆を第１操作杆に対し展開した状態で固定する押圧手段を備えた仮設資材用解体治具を提案する。
また本発明では、請求項４において、前記保持手段は、第１操作杆の外形にほぼ近い環状体であり、前記第１操作杆に対し第２操作杆を折り畳んだ状態で保持するべく、前記第１操作杆外周に嵌め入れる一方、前記第１操作杆に対し第２操作杆を展開した状態において、前記保持手段を第１操作杆における第２操作杆の軸止箇所近傍に嵌入して、前記押圧手段により前記保持手段に前記第２操作杆を押し付けることで、第２操作杆を第１操作杆に対し展開した状態で固定する構成とした仮設資材用解体治具を提案する。
また本発明では、請求項５において、前記押圧手段は、前記第１操作杆における第２操作杆の軸止箇所近傍において、第１操作杆外面から内面に向かって螺入して、前記第２操作杆を押し付けて前記保持手段を脱落しないように押圧する押圧ねじによって構成した仮設資材用解体治具を提案する。
また本発明では、請求項６において、前記ロック解除具は、前記連結手段に嵌入可能な中空パイプ材で構成し、前記操作杆に対して鈍角をなすように操作杆に接続した仮設資材用解体治具を提案する。
また本発明では、請求項７において、前記ロック解除具の中間に、携帯用フックロッドを突設した仮設資材用解体治具を提案する。
さらに本発明では、請求項８において、前記操作杆に、落下防止用ロープを連結する連結具を設けた仮設資材用解体治具を提案する。
【０００５】
請求項１によれば、作業者は、操作杆先端側のロック解除具を、連結手段に係合して前記操作杆を変位操作させることで、前記連結手段のロック作用を解除することができ、仮設資材を取り外すことができる。
【０００６】
請求項２によれば、必要において、操作杆の長さを変えることで、作業者は、取り外すべき足場ユニットの下側の足場ユニットの位置において、仮設資材の連結手段のロック解除操作が可能である。
【０００７】
請求項３によれば、使用状況に応じて、第１操作杆に対し、第２操作杆を折り畳んだ状態で、第２操作杆先端側のロック解除具を連結手段に係合して解除操作したり、第１操作杆に対し第２保持手段により、第２操作杆を展開した状態で保持して、解除操作が可能である。
【０００８】
請求項４によれば、第１操作杆に対し第２操作杆を展開した状態で、保持手段を第１操作杆における第２操作杆の軸止箇所近傍に嵌入し、押圧手段により前記保持手段に、第２操作杆を押し付けることで、前記第１操作杆に対し第２操作杆を固定することができる。
【０００９】
請求項５によれば、第１操作杆に対し第２操作杆を展開した状態で、保持手段を第１操作杆における第２操作杆の軸止箇所近傍に嵌入し、第１操作杆外面から内面に向かって押圧ねじを螺入することで、第２操作杆を押し付けて前記保持手段を脱落しないようにして、前記第１操作杆に対し第２操作杆を固定することができる。
【００１０】
請求項６によれば、操作杆先端側のロック解除具における開口部を、連結手段に係合して前記操作杆の手元側を押し込むことで連結手段のロック解除がなされる。
【００１１】
請求項７によれば、解体作業にするにあたり、解体治具を作業服の腰のベルト部分にフックロッドを引っ掛けた状態で足場を移動して、解体箇所に移動することができる。
【００１２】
請求項８によれば、移動中に、解体治具が作業服の腰のベルト部分からフックロッドから外れても、落下を防止することができる。
【００１３】
【発明の実施の形態】
以下、本発明にかかる仮設資材用解体治具につき、一つの実施の形態を示し、添付の図面に基づいて説明する。
図１、図２に仮設資材用解体治具１を示し、この仮設資材用解体治具１は、長さを切り換え可能な操作杆２と、この操作杆２先端側に、仮設資材による足場に併設した転落防止用の手摺枠（後述）を結合する連結手段（後述）のロック解除をするためのロック解除具３を設けている。
このロック解除具３は、前記連結手段に係合して前記操作杆２を変位操作させることで、前記連結手段のロック作用を解除する構成としている。
【００１４】
前記解体治具１は、全体が例えばアルミニウム等の軽金属で構成することができる。もちろん、所定の強度があれば、合成樹脂も可能である。
【００１５】
前記操作杆２は、断面コ形形状に加工したもので、第１の操作杆２ａと、この第１操作杆２ａに対し、折り畳み、展開可能に連結した第２の操作杆２ｂとによって構成している。この場合、第１操作杆２ａと第２操作杆２ｂとは、前記第２操作杆２ｂが、第１操作杆２ａ内側に埋没する状態で折り畳まれる寸法設定である。
【００１６】
前記第１操作杆２ａに対し第２操作杆２ｂが折り畳んだ状態にあっては、保持手段４により、折り畳んだ状態に保持するようにしている。この保持手段４は、第１操作杆２ａの外形にほぼ近い方形環状体であり、第１操作杆２ａに対し第２操作杆２ｂを折り畳んだ状態で保持するために、前記保持手段４を第１操作杆２ａ外周に嵌め入れるようにしている（図３参照）。
【００１７】
一方、前記第１操作杆２ａに対し第２操作杆２ｂを展開した状態にあっては、図４に示すように前記保持手段４を第１操作杆２ａにおける第２操作杆２ｂの軸止箇所Ｐ近傍に嵌入した状態で、前記第２操作杆２ｂの軸止箇所近傍に設けた、第１操作杆２ａ外面から内面に向かって螺入した押圧ねじ５により、第２操作杆２ｂを押し付けて前記保持手段４を脱落しないようにして、前記第１操作杆２ａに対し第２操作杆２ｂを保持する構成である。
前記押圧ねじ５には、操作しやすいように蝶ボルトを用いており、第１操作杆２ａ外面に設けた補強部材６を介し螺着して、第１操作杆２ａ内面に押圧ねじ５の軸５ａ先端を臨入している（図５参照）。なお、前記軸５ａ先端には、抜け止防止用のかしめ加工を施すことができる。
【００１８】
そして、前記第２操作杆２ｂ先端側のロック解除具３は、所定長さの中空パイプ材で構成し、前記第２操作杆２ｂに対して１２０度程度の鈍角で溶着している（図３参照）。この場合、ロック解除具３の内径は、後述する手摺枠を結合する連結手段に対応して嵌入可能に設定している。
また前記ロック解除具３の中間には、携帯用フックロッド７を突設している。このフックロッド７は、適宜な軸部材を用いて構成し、中間から先端にかけて、前記第２操作杆２ｂに略平行になるように屈曲させている。これによって、前記フックロッド７は、作業服の腰ベルト等に引っ掛けやすく、前記解体治具１に携帯性をもたらしている（図６参照）。
【００１９】
さらに前記操作杆２のうちの第１操作杆２ａには、作業服の腰ベルト等に設けた落下防止用ロープＬを連結する連結リング８を設けている。
【００２０】
ここで、仮設資材による足場Ｆについて説明する。
足場Ｆは、図７に示すように、建枠Ａ、布枠Ｂ、３角枠Ｃ等により、施工構築物周囲に、複数列、複数段に組み上げて構成しており、さらに、転落防止用の手摺枠Ｄを設けている。この手摺枠Ｄは、建枠Ａに、連結手段９によって取り付けている（図８参照）。
【００２１】
前記連結手段９は、建枠Ａに突設した突部１０に、ばね部材によって突出する側に付勢したロック手段１１を設けて構成している。この突部１０を、手摺枠Ｄの四隅に設けた受具１２の係止穴ｈに挿通することで、前記ロック手段１１を前記突部１０の径方向に突出させて、手摺枠Ｄを、受具１２を介して脱落しないように保持するようにしている。
【００２２】
このような連結手段９における突部１０のロック手段１１は、前記ロック解除具３先端の開口端からロック解除具３内面に嵌入させて、ロック解除具３を変位させることで、ロック解除具３内壁により、突部１０内にロック手段１１をばね力に抗して押し込むことでロック解除して、前記手摺枠Ｄを手摺枠Ｄの四隅に設けた受具１２を突部１０から離脱させて、取り外す構成である。
【００２３】
本発明にかかる仮設資材用解体治具１は、以上のように構成されるものであり、次に仮設資材用解体治具１による足場Ｆ、手摺枠Ｄの解体手順を説明する。
土木工事、建築工事、修繕工事等が終了し、施工構築物に使用されている仮設資材は、最上部から順に外していくようにする。そのために、作業者は、足場Ｆを伝って最上部まで上っていき、建枠Ａ、布枠Ｂ、３角枠Ｃを一つ一つ、外していくことになる。この際、作業者は解体治具１を、作業服の腰ベルト等に第２操作杆２ｂ先端のロック解除具３に設けたフックロッド７を引っ掛けて携帯することができる。また、第１操作杆２ａの連結リング８に、作業服の腰ベルト等に設けた落下防止用ロープＬを連結すれば解体治具１を落としてしまうようなことはない（図６参照）。
【００２４】
先ず、作業者は、外すべき最上部の足場Ｆにきて、その位置の布枠Ｂに乗り、最上部の足場Ｆを構成する建枠Ａと共に３角枠Ｃを外し、その最上部の足場Ｆの一段下の位置にきて、前記布枠Ｂを外す。
次いで、前記最上部の手摺枠Ｄを外すわけだが、手摺枠Ｄの下側の双方の受具１２における連結手段９の突部１０のロック手段１１を押し込んでそれぞれ取り外し、再びロックされないように手摺枠Ｄの下側を引き離す（図７、図９参照）。
【００２５】
次に、腰ベルトに引っ掛けた折り畳んだ状態にある解体治具１を手にとり、第２操作杆２ｂ先端のロック解除具３が、手摺枠Ｄの上側の受具１２における連結手段９に届くかどうか確かめる。
前記ロック解除具３が前記手摺枠Ｄの上側の受具１２における連結手段９に届けばそのまま、前記ロック解除具３先端の開口端に、連結手段９の突部１０、およびロック手段１１に嵌め入れていき解除操作を開始する。
【００２６】
また、ロック解除具３が、手摺枠Ｄの上側の受具１２における連結手段９に届かないときは、折り畳んだ状態にある解体治具１の操作杆２の長さを変える。すなわち、第１操作杆２ａに対し第２操作杆２ｂが折り畳んだ状態に保持する保持手段４を、前記第１操作杆２ａ外周から引き抜き（図３参照）、第２操作杆２ｂを第１操作杆２ａに対し展開する（図４参照）。
次に、前記保持手段４を第１操作杆２ａにおける第２操作杆２ｂの軸止箇所近傍に嵌入すると共に、前記第２操作杆２ｂの軸止箇所近傍に設けた押圧ねじ５により、第２操作杆２ｂを押し付けて前記保持手段４を脱落しないようにして、前記第１操作杆２ａに対し第２操作杆２ｂを展開した状態で保持する（図５参照）。このようにすることで、第１操作杆２ａと第２操作杆２ｂとは、一つの杆のごとくぐらつくことなく固定される。
【００２７】
以上のように操作杆２の長さを合わせることで、解除操作を行うことができる。前記ロック解除具３先端の開口端に、連結手段９の突部１０、およびロック手段１１に嵌め入れた状態で、操作杆２の握り箇所側を建枠Ａに向かって押し込むことで、ロック解除具３内壁によって、連結手段９のロック手段がばね力に抗して押し込まれ、これにより前記連結手段９のロック作用を解除することができ、手摺枠Ｄを建枠Ａから取り外すことができる（図１０、図１１、図１２参照）。
そして、もう一方の連結手段９を同様にして解体治具１により取り外せば、その手摺枠Ｄの解体が完了する。
このようにして、足場Ｆの上部側から順次、取り外しにかかる足場Ｆの一段下の布枠Ｂに乗った状態で、手摺枠Ｄの解体作業を行うことができ、簡単で速やかに、しかも一段下の手摺枠Ｄで囲まれた状態で作業を遂行することができるので、転落のおそれはない。
なお、上記解体治具１は、アルミニウム等の軽金属によって構成しているので、上腕に対する負担を軽減し、長時間に亘る作業が可能となる。
【００２８】
【発明の効果】
以上のとおり、本発明によれば
（１）作業者は、操作杆先端側のロック解除具を、連結手段に係合して前記操作杆を変位操作させることで、前記連結手段のロック作用を解除することができ、足場ユニットを取り外すことができる。
（２）足場の構造に応じて、第１操作杆に対し、第２操作杆を折り畳んだ状態で、第２操作杆先端側のロック解除具を連結手段に係合して解除操作したり、第１操作杆に対し第２保持手段により、第２操作杆を展開した状態で保持して、解除操作が可能である。
（３）操作杆先端側のロック解除具における開口部を、連結手段に係合して前記操作杆の手元側を押し込むことで連結手段のロック解除を行うことができ、解体作業が容易となる。
（４）解体作業にするにあたり、解体治具を作業服の腰のベルト部分にフックロッドを引っ掛けた状態で足場を移動して、解体箇所に移動することができる。
（５）移動中に、解体治具が作業服の腰のベルト部分からフックロッドから外れても、落下を防止することができる。
（６）取り外しにかかる足場の一段下の、手摺枠で囲まれた状態の足場において仮設資材の解体作業を行うので、転落のおそれなく作業を遂行することができる
【００２９】
【図面の簡単な説明】
【図１】本発明にかかる仮設資材用解体治具の一例を示す、外観斜視図である。
【図２】図１に示す仮設資材用解体治具の一側面図である。
【図３】図１に示す仮設資材用解体治具の操作杆を展開して拡張した状態を示す、外観斜視図である。
【図４】図３に示す拡張した状態にある仮設資材用解体治具の一側面図である。
【図５】図１に示す仮設資材用解体治具を用いて足場を解体作業を行うところをしめす、説明図である。
【図６】本発明にかかる仮設資材用解体治具のフックロッドを、作業服の腰ベルト等に引っ掛け、落下防止用ロープを連結したところを示す説明図である。
【図７】足場において解体作業をする際の説明図である。
【図８】足場に敷設された手摺枠の保持構造を示した要部説明図である。
【図９】足場に敷設された手摺枠の解体作業の説明図である。
【図１０】足場に敷設された手摺枠の上部側を、仮設資材用解体治具を用いて解体する際の説明図である。
【図１１】仮設資材用解体治具におけるロック解除具を、連結手段に係合したところを示す要部断面説明図である。
【図１２】仮設資材用解体治具におけるロック解除具を、連結手段に係合して操作杆を変位操作させるところを示す要部断面説明図である。
【符号の説明】
１                            仮設資材用解体治具
２                            操作杆
２ａ                          第１操作杆
２ｂ                          第２操作杆
３                            ロック解除具
４                            保持手段
５                            押圧ねじ
５ａ                          軸
６                            補強部材
７                            フックロッド
８                            連結リング
９                            支柱パイプ
１０                          連結手段
１１                          突部
１２                          ロック手段
１３                          受具
Ｐ                            軸止箇所
Ｌ                            落下防止用ロープ
Ｆ                            足場
Ａ                            建枠
Ｂ                            布枠
Ｃ                            ３角枠
Ｄ                            手摺枠
ｈ                            係止穴
【図１】
2004346531.tif 000003
【図２】
2004346531.tif 000004
【図３】
2004346531.tif 000005
【図４】
2004346531.tif 000006
【図５】
2004346531.tif 000007
【図６】
2004346531.tif 000008
【図７】
2004346531.tif 000009
【図８】
2004346531.tif 000010
【図９】
2004346531.tif 000011
【図１０】
2004346531.tif 000012
【図１１】
2004346531.tif 000013
【図１２】
2004346531.tif 000014